(57)【特許請求の範囲】
【請求項１】
筐体と、
前記筐体内に設けられ、当該筐体内で紙幣を１枚ずつ搬送する搬送部と、
前記搬送部に設けられ、当該搬送部で搬送される紙幣を１枚ずつ識別する識別部と、
前記筐体内に設けられた複数の収納部であって、前記各収納部はそれぞれ前記搬送部に接続されており、前記各収納部は、前記搬送部から送られた紙幣を収納するとともに収納された紙幣を１枚ずつ前記搬送部に繰り出すような複数の収納部と、
前記搬送部および前記各収納部の制御を行う制御部であって、前記複数の収納部の一の収納部から紙幣を１枚ずつ前記搬送部に繰り出し、繰り出された紙幣を前記一の収納部とは異なる前記複数の収納部の空状態の他の収納部に１枚ずつ収納し、前記一の収納部に収納された紙幣が全て前記他の収納部に送られたときに、前記他の収納部から前記一の収納部に紙幣を戻し、前記一の収納部から前記他の収納部に紙幣を搬送する際にまたは前記他の収納部から前記一の収納部に紙幣を戻す際に前記識別部により紙幣の識別を行うような精査処理を行い、このような精査処理を行う間に前記他の収納部がフル状態となったときに、残りの紙幣を空状態である、前記筐体の外部から内部に紙幣を投入するための投入口に送るよう制御を行う制御部と、
を備えたことを特徴とする紙幣処理装置。
【請求項２】
筐体と、
前記筐体内に設けられ、当該筐体内で紙幣を１枚ずつ搬送する搬送部と、
前記搬送部に設けられ、当該搬送部で搬送される紙幣を１枚ずつ識別する識別部と、
前記筐体内に設けられた複数の収納部であって、前記各収納部はそれぞれ前記搬送部に接続されており、前記各収納部は、前記搬送部から送られた紙幣を収納するとともに収納された紙幣を１枚ずつ前記搬送部に繰り出すような複数の収納部と、
前記搬送部および前記各収納部の制御を行う制御部であって、前記複数の収納部の一の収納部から紙幣を１枚ずつ前記搬送部に繰り出し、繰り出された紙幣を前記一の収納部とは異なる前記複数の収納部の空状態の他の収納部に１枚ずつ収納し、前記一の収納部に収納された紙幣が全て前記他の収納部に送られたときに、前記他の収納部から前記一の収納部に紙幣を戻し、前記一の収納部から前記他の収納部に紙幣を搬送する際にまたは前記他の収納部から前記一の収納部に紙幣を戻す際に前記識別部により紙幣の識別を行うような精査処理を行い、このような精査処理を行う間に前記他の収納部がフル状態となったときに、残りの紙幣を空状態である、前記識別部により正常な紙幣であると識別された紙幣以外の紙幣であるリジェクト紙幣が搬送されるリジェクト部に送るよう制御を行う制御部と、
を備えたことを特徴とする紙幣処理装置。
【請求項３】
前記制御部は、前記精査処理を行う間に前記他の収納部がフル状態となったときに、残りの紙幣を空状態の投入口もしくはリジェクト部に送り、前記一の収納部に収納された紙幣が全て前記他の収納部または前記投入口もしくは前記リジェクト部に送られたときに、前記他の収納部および前記投入口または前記リジェクト部から前記一の収納部に紙幣を戻すよう制御を行うことを特徴とする請求項１または２のいずれかに記載の紙幣処理装置。
【請求項４】
前記制御部は、前記精査処理が行われる前において前記一の収納部に収納されている紙幣の枚数が所定枚数以上である場合には、前記精査処理を行う際に、予め設定された枚数の紙幣を投入口またはリジェクト部に送るよう制御を行うことを特徴とする請求項１乃至３のいずれか一項に記載の紙幣処理装置。
【請求項５】
前記制御部は、前記精査処理を行う際に、前記一の収納部に紙幣を戻す間に当該一の収納部がフル状態となったときに、残りの紙幣を投入口またはリジェクト部に送るよう制御を行うことを特徴とする請求項１乃至４のいずれか一項に記載の紙幣処理装置。
【請求項６】
前記複数の収納部には、複数の金種の紙幣を混合して収納する金種混合収納部が含まれており、
前記制御部は、前記精査処理を行う際に、前記一の収納部に紙幣を戻す間に当該一の収納部がフル状態となったときに、残りの紙幣を前記金種混合収納部に送るよう制御を行うことを特徴とする請求項１乃至４のいずれか一項に記載の紙幣処理装置。
【請求項７】
前記複数の収納部には、複数の金種の紙幣を混合して収納する金種混合収納部が含まれており、
前記制御部は、前記精査処理を行う際に、前記一の収納部に紙幣を戻す間に当該一の収納部がフル状態となったときに、残りの紙幣を投入口またはリジェクト部に送り、その後、前記投入口または前記リジェクト部から前記金種混合収納部に紙幣を全て送るよう制御を行うことを特徴とする請求項１乃至４のいずれか一項に記載の紙幣処理装置。
【発明の詳細な説明】
【技術分野】
【０００１】
本発明は、紙幣の処理を行う紙幣処理装置に関し、とりわけ、紙幣の精査処理を行うことができる紙幣処理装置に関する。ここで、紙幣の精査処理とは、紙幣処理装置内に設けられた複数の収納部のうち一の収納部から紙幣を１枚ずつ搬送部に繰り出し、繰り出された紙幣を一の収納部とは異なる空状態の他の収納部に１枚ずつ収納し、一の収納部に収納された紙幣が全て他の収納部に送られたときに、他の収納部から一の収納部に紙幣を戻し、一の収納部から他の収納部に紙幣を搬送する際にまたは他の収納部から一の収納部に紙幣を戻す際に紙幣の識別を行うような動作のことをいう。
【背景技術】
【０００２】
従来から、紙幣の処理を行う紙幣処理装置において、当該紙幣処理装置内にある紙幣を計数するために紙幣の精査処理を行うものが知られている。より具体的には、紙幣の精査処理を行うにあたり、紙幣処理装置内に設けられた複数の収納部のうち一の収納部から紙幣を１枚ずつ搬送部に繰り出し、繰り出された紙幣を一の収納部とは異なる空状態の他の収納部に１枚ずつ積層状態で収納する。一の収納部に収納された紙幣が全て他の収納部に送られたときに、他の収納部から一の収納部に紙幣を戻す。そして、一の収納部から他の収納部に紙幣を搬送する際にまたは他の収納部から一の収納部に紙幣を戻す際に識別部により紙幣の識別を行う。このような処理を行うことにより、当該紙幣処理装置内にある紙幣を計数することができる。
【０００３】
しかしながら、上述のような紙幣の精査処理を行うにあたり、一の収納部と他の収納部の容量が略同一であれば、一の収納部にフル状態またはそれに近い状態で紙幣が収納されているときに紙幣の精査処理を行うと、他の収納部に紙幣が積層状態で収納される際に集積した紙幣が膨張してしまい、一の収納部から紙幣を全て繰り出す前に他の収納部がフル状態となってしまう場合がある。このように、他の収納部がフル状態となってしまった場合には、これ以上紙幣の精査処理を続けることができず、他の収納部に収納された紙幣を一旦回収しなければならないという問題がある。
【０００４】
また、特許文献１や特許文献２には、精査用の収納部が設けられており、紙幣の精査処理を行うにあたり、ある収納部から紙幣を１枚ずつ搬送部に繰り出し、繰り出された紙幣を精査用の収納部に収納させるような紙幣処理装置が開示されている。このような紙幣処理装置によれば、ある収納部から精査用の収納部に紙幣が全て送られたときに、この精査用の収納部から元の収納部に紙幣を戻すようになっている。
【先行技術文献】
【特許文献】
【０００５】
【特許文献１】特開平８−３３９４１２号公報
【特許文献２】特開２００９−１５１３５４号公報
【発明の概要】
【発明が解決しようとする課題】
【０００６】
しかしながら、特許文献１や特許文献２に示すような紙幣処理装置では、精査用の収納部を設けなければならず、このような精査用の収納部は紙幣の精査処理を行うときのみにしか用いられないので、精査用の収納部を設けることにより不必要に紙幣処理装置が大型化してしまうという問題がある。また、特許文献１や特許文献２に示すような紙幣処理装置では、精査用の収納部がフル状態となったときに初めて、収納部から搬送部に繰り出された紙幣の搬送先を精査用の収納部から他の箇所に変更するようになっている。このため、精査用の収納部は既にフル状態となってしまい、精査用の収納部から元の収納部に紙幣を戻したときに紙幣が全て元の収納部に入りきらない場合がある。
【０００７】
本発明は、このような点を考慮してなされたものであり、紙幣の精査処理を行うにあたり、精査処理が行われるべき紙幣が収納されている元の収納部にフル状態またはそれに近い状態で紙幣が収納されている場合でも紙幣の精査処理を確実に行うことができ、しかも、精査用の収納部を別途設ける必要がないので紙幣処理装置が大型化してしまうことを防止することができる紙幣処理装置を提供することを目的とする。
【課題を解決するための手段】
【０００８】
本発明は、筐体と、前記筐体内に設けられ、当該筐体内で紙幣を１枚ずつ搬送する搬送部と、前記搬送部に設けられ、当該搬送部で搬送される紙幣を１枚ずつ識別する識別部と、前記筐体内に設けられた複数の収納部であって、前記各収納部はそれぞれ前記搬送部に接続されており、前記各収納部は、前記搬送部から送られた紙幣を収納するとともに収納された紙幣を１枚ずつ前記搬送部に繰り出すような複数の収納部と、前記搬送部および前記各収納部の制御を行う制御部であって、一の収納部から紙幣を１枚ずつ前記搬送部に繰り出し、繰り出された紙幣を前記一の収納部とは異なる空状態の他の収納部に１枚ずつ収納し、前記一の収納部に収納された紙幣が全て前記他の収納部に送られたときに、前記他の収納部から前記一の収納部に紙幣を戻し、前記一の収納部から前記他の収納部に紙幣を搬送する際にまたは前記他の収納部から前記一の収納部に紙幣を戻す際に前記識別部により紙幣の識別を行うような精査処理を行い、このような精査処理を行う間に前記他の収納部がフル状態となったときに、残りの紙幣を空状態の更に他の収納部に送るよう制御を行う制御部と、を備えたことを特徴とする紙幣処理装置である。
【０００９】
このような紙幣処理装置によれば、紙幣の精査処理を行うにあたり、精査処理が行われるべき紙幣が収納されている元の収納部（一の収納部）にフル状態またはそれに近い状態で紙幣が収納されている場合において、一の収納部から他の収納部に紙幣が送られたときに他の収納部において紙幣の束が膨張してしまい、一の収納部から紙幣を全て繰り出す前に他の収納部がフル状態となってしまったときでも、残りの紙幣を、空状態の更に他の収納部に収納させることにより、紙幣の精査処理が中断することなく確実に行われる。また、このような紙幣処理装置では、精査用の収納部を別途設ける必要がないので紙幣処理装置が大型化してしまうことを防止することができる。
【００１０】
本発明の紙幣処理装置においては、前記制御部は、前記精査処理を行う間に前記他の収納部がフル状態となったときに、残りの紙幣を空状態の更に他の収納部に送り、前記一の収納部に収納された紙幣が全て前記他の収納部または前記更に他の収納部に送られたときに、前記他の収納部および前記更に他の収納部から前記一の収納部に紙幣を戻すよう制御を行うようになっていてもよい。
また、本発明の紙幣処理装置においては、前記複数の収納部には、前記筐体の外部から内部に投入され前記識別部により識別された紙幣が一時的に保留される一時保留部が含まれており、前記制御部が前記精査処理を行う際に前記一時保留部は前記他の収納部として用いられるようになっていてもよい。
【００１１】
本発明の紙幣処理装置においては、前記複数の収納部には、前記筐体の外部から内部に紙幣を投入するための投入口が含まれており、前記制御部が前記精査処理を行う際に前記投入口は前記更に他の収納部として用いられるようになっていてもよい。
【００１２】
あるいは、前記複数の収納部には、前記識別部により正常な紙幣であると識別された紙幣以外の紙幣であるリジェクト紙幣が搬送されるリジェクト部が含まれており、前記制御部が前記精査処理を行う際に前記リジェクト部は前記更に他の収納部として用いられるようになっていてもよい。
【００１３】
本発明の紙幣処理装置においては、前記制御部は、前記精査処理が行われる前において前記一の収納部に収納されている紙幣の枚数が所定枚数以上である場合には、前記精査処理を行う際に、予め設定された枚数の紙幣を前記更に他の収納部に送るよう制御を行うようになっていてもよい。
【００１４】
本発明の紙幣処理装置においては、前記制御部は、前記精査処理を行う際に、前記一の収納部に紙幣を戻す間に当該一の収納部がフル状態となったときに、残りの紙幣を前記更に他の収納部に送るよう制御を行うようになっていてもよい。
【００１５】
あるいは、前記複数の収納部には、複数の金種の紙幣を混合して収納する金種混合収納部が含まれており、前記制御部は、前記精査処理を行う際に、前記一の収納部に紙幣を戻す間に当該一の収納部がフル状態となったときに、残りの紙幣を前記金種混合収納部に送るよう制御を行うようになっていてもよい。
【００１６】
あるいは、前記複数の収納部には、複数の金種の紙幣を混合して収納する金種混合収納部が含まれており、前記制御部は、前記精査処理を行う際に、前記一の収納部に紙幣を戻す間に当該一の収納部がフル状態となったときに、残りの紙幣を前記更に他の収納部に送り、その後、前記更に他の収納部から前記金種混合収納部に紙幣を全て送るよう制御を行うようになっていてもよい。
【発明の効果】
【００１７】
本発明の紙幣処理装置によれば、紙幣の精査処理を行うにあたり、精査処理が行われるべき紙幣が収納されている元の収納部にフル状態またはそれに近い状態で紙幣が収納されている場合でも紙幣の精査処理を確実に行うことができ、しかも、精査用の収納部を別途設ける必要がないので紙幣処理装置が大型化してしまうことを防止することができる。
【図面の簡単な説明】
【００１８】
【図１】本発明の一の実施の形態における紙幣処理装置の内部の構成を示す構成図である。
【図２】図１に示す紙幣処理装置の制御ブロック図である。
【図３】図１および図２に示す紙幣処理装置における、紙幣の精査処理を行う際の動作を示すフローチャートである。
【図４】図１および図２に示す紙幣処理装置における、紙幣の精査処理を行う際の他の動作を示すフローチャートである。
【図５】図３に示す紙幣の精査処理を行う際の紙幣の流れを示す説明図である。
【図６】図３に示す紙幣の精査処理を行う際の紙幣の流れを示す説明図である。
【図７】図３に示す紙幣の精査処理を行う際の紙幣の流れを示す説明図である。
【図８】図３に示す紙幣の精査処理を行う際の紙幣の流れを示す説明図である。
【図９】図３に示す紙幣の精査処理を行う際の紙幣の流れを示す説明図である。
【図１０】図３に示す紙幣の精査処理を行う際の紙幣の流れを示す説明図である。
【発明を実施するための形態】
【００１９】
以下、図面を参照して本発明の一の実施の形態について説明する。図１乃至図１０は、本実施の形態に係る紙幣処理装置を示す図である。このうち、図１は、本実施の形態における紙幣処理装置の内部の構成を示す構成図であり、図２は、図１に示す紙幣処理装置の制御ブロック図である。また、図３および図４は、それぞれ、図１および図２に示す紙幣処理装置における、紙幣の精査処理を行う際の動作を示すフローチャートである。また、図５乃至図１０は、図３に示す紙幣の精査処理を行う際の紙幣の流れを示す説明図である。
【００２０】
まず、図１により、本実施の形態の紙幣処理装置１０の全体的な構成について説明する。図１に示すように、紙幣処理装置１０は略直方体形状の筐体１２を備えており、この筐体１２の前面には、当該筐体１２の外部から内部に紙幣を投入するための投入口１４が設けられている。また、投入口１４は、筐体１２の内部から外部に紙幣を投出するための投出口としても機能するようになっている。すなわち、投入口１４は、操作者がこの投入口１４に紙幣を投入したりこの投入口１４から紙幣を取り出したりすることができるよう構成されている。より具体的には、図１に示すように投入口１４は鉛直方向に対して斜めに傾斜しており、この投入口１４には紙幣が積層状態で斜めに傾斜して投入されるようになっている。図１において、投入口１４に投入された紙幣を参照符号Ｐで示す。
【００２１】
投入口１４には紙幣繰出機構１４ａが設けられており、この紙幣繰出機構１４ａにより投入口１４に集積された紙幣が１枚ずつ筐体１２の内部に繰り出されるようになっている。また、紙幣の出金処理を行う際には、筐体１２の内部に設けられた搬送部１６（後述）から紙幣が１枚ずつ投入口１４に送られるようになっている。
【００２２】
紙幣繰出機構１４ａが設けられていることにより、投入口１４は、搬送部１６から送られた紙幣を収納するとともに収納された紙幣を１枚ずつ搬送部１６に繰り出すような収納部としても機能するようになる。
【００２３】
また、投入口１４にはシャッター機構（図示せず）が設けられており、このシャッター機構により投入口１４の開閉が行われるようになっている。より具体的には、操作者が投入口１４に紙幣を投入したり投入口１４から紙幣を取り出したりする際には、シャッター機構が開いて投入口１４が筐体１２の外部に露出されるようになっている。一方、投入口１４に集積された紙幣が１枚ずつ紙幣繰出機構１４ａにより筐体１２の内部に繰り出されたり搬送部１６（後述）から投入口１４に紙幣が１枚ずつ送られたりする際には、シャッター機構が投入口１４を塞ぐようになっている。
【００２４】
図１に示すように、筐体１２の内部には、紙幣を１枚ずつ搬送するための搬送部１６が設けられている。搬送部１６には投入口１４が接続されており、投入口１４に集積され、紙幣繰出機構１４ａにより筐体１２の内部に繰り出された紙幣は、搬送部１６により搬送されるようになっている。また、搬送部１６における各分岐箇所には分岐部材２６が設けられている。後述する制御部５０により各分岐部材２６が制御されることによって、紙幣の搬送経路が決められるようになっている。
【００２５】
搬送部１６には識別部１８が設置されている。識別部１８は、搬送部１６で搬送される紙幣の金種や正損、真偽等を識別するようになっている。
【００２６】
図１に示すように、筐体１２の前面には入金リジェクト口２０が設けられている。この入金リジェクト口２０は搬送部１６に接続されている。そして、紙幣繰出機構１４ａにより筐体１２の外部から内部に繰り出された紙幣のうち、識別部１８により正常な紙幣であると識別された紙幣以外の紙幣は、リジェクト紙幣として搬送部１６により入金リジェクト口２０に送られるようになっている。より具体的には、紙幣の入金処理を行う際に、識別部１８により偽券であると識別された紙幣や、識別部１８により識別することができなかった紙幣、あるいは斜行や重送等の搬送異常が検出された紙幣は、リジェクト紙幣として搬送部１６により入金リジェクト口２０に送られるようになっている。
【００２７】
入金リジェクト口２０にはシャッター機構（図示せず）が設けられており、このシャッター機構により入金リジェクト口２０の開閉が行われるようになっている。より具体的には、操作者が入金リジェクト口２０からリジェクト紙幣を取り出す際には、シャッター機構が開いて入金リジェクト口２０が筐体１２の外部に露出されるようになっている。一方、紙幣の入金処理や出金処理を行っている最中には、シャッター機構が入金リジェクト口２０を塞ぐようになっている。
【００２８】
また、筐体１２の内部には出金リジェクト部２２が設けられており、この出金リジェクト部２２は搬送部１６に接続されている。そして、紙幣の出金処理や精査処理を行う際に、後述する収納部３０等から搬送部１６に繰り出された紙幣のうち、識別部１８により正常な紙幣であると識別された紙幣以外の紙幣（具体的には例えば斜行や重送等の搬送異常が検出された紙幣）は、搬送部１６により出金リジェクト部２２に送られるようになっている。
【００２９】
図１に示すように、筐体１２の下部には複数の収納部３０が収納されている。各収納部３０はそれぞれ搬送部１６に接続されており、搬送部１６から送られた紙幣を積層状態で収納するとともに、収納された紙幣を１枚ずつ搬送部１６に繰り出すようになっている。複数の収納部３０は、入金一時保留部３２、金種別収納部３４ａ〜３４ｃおよび金種混合収納部３６から構成されている。
【００３０】
複数の収納部３０のうち、入金一時保留部３２は、投入口１４により筐体１２の外部から内部に投入され、識別部１８により正常な紙幣であると識別された紙幣を一時的に保留するようになっている。そして、入金一時保留部３２により一時的に保留された紙幣は、操作者によって後述する操作部５２により紙幣の入金処理の確定がなされたときに、各金種別収納部３４ａ〜３４ｃや金種混合収納部３６に送られるようになっている。
【００３１】
各金種別収納部３４ａ〜３４ｃは、それぞれ、予め設定された特定の金種の紙幣を収納するようになっている。より具体的に説明すると、各金種別収納部３４ａ〜３４ｃにはそれぞれ対応する紙幣の金種が予め設定されており、この設定された金種のみの紙幣を各金種別収納部３４ａ〜３４ｃはそれぞれ収納するようになっている。
【００３２】
一方、金種混合収納部３６は、複数の金種の紙幣を混合して収納するようになっている。より具体的には、金種混合収納部３６には、各金種別収納部３４ａ〜３４ｃにおいて設定されている金種とは異なる金種の紙幣が収納されるようになっている。また、各金種別収納部３４ａ〜３４ｃがフル状態となったときには、この金種別収納部３４ａ〜３４ｃに対応する金種の紙幣が搬送部１６から金種混合収納部３６に送られ、この金種混合収納部３６に収納されるようになっている。
【００３３】
各収納部３０にはそれぞれ紙幣繰出機構３０ａが設けられており、各収納部３０に積層状態で収納された紙幣は紙幣繰出機構３０ａにより１枚ずつ搬送部１６に繰り出すことができるようになっている。
【００３４】
また、図１に示すように、紙幣処理装置１０の各構成要素の制御を行う制御部５０が筐体１２の内部に設けられている。制御部５０の構成について、図２を用いて説明する。
【００３５】
図２に示すように、制御部５０には、投入口１４に設けられた紙幣繰出機構１４ａ、搬送部１６、識別部１８、各収納部３０に設けられた紙幣繰出機構３０ａ、搬送部１６の各分岐箇所に設けられた分岐部材２６、投入口１４や入金リジェクト口２０に設けられたシャッター機構等が接続されている。また、制御部５０には、操作部５２、表示部５４、インターフェース５６が接続されている。ここで、識別部１８により識別された紙幣の識別情報は制御部５０に送られるようになっている。また、制御部５０は、紙幣繰出機構１４ａ、搬送部１６、紙幣繰出機構３０ａ、分岐部材２６、シャッター機構等に対してそれぞれ制御信号を送り、これらの構成要素の制御を行うようになっている。
【００３６】
操作部５２は、操作者が制御部５０に様々な指示を送るためのものであり、例えばキーボードや各種キー等により構成されている。また、表示部５４は、紙幣処理装置１０における様々な紙幣の処理状況、例えば各収納部３０に収納されている紙幣の金種毎の枚数等を表示するようになっている。これらの操作部５２および表示部５４は紙幣処理装置１０の筐体１２の前面や上面に設けられている。なお、操作部５２および表示部５４は一体のものとなっていてもよい。具体的には、例えば筐体１２の前面や上面にタッチパネルが設けられており、このタッチパネルに、紙幣処理装置１０における様々な紙幣の処理状況が表示されるとともに、タッチパネルに表示される各種キーを押下することにより操作者が制御部５０に様々な指示を送ることができるようになっていてもよい。
【００３７】
また、制御部５０は、インターフェース５６を介して、紙幣処理装置１０とは別の外部装置（例えば、上位装置）と情報の送受信を行うことができるようになっている。
【００３８】
次に、上述のような構成からなる紙幣処理装置１０の動作について説明する。なお、以下に示すような紙幣処理装置１０の動作は、制御部５０が紙幣処理装置１０の各構成要素を制御することにより行われる。
【００３９】
まず、紙幣処理装置１０における紙幣の入金処理について以下に説明する。
【００４０】
紙幣の入金処理を行う際には、まず、紙幣処理装置１０の投入口１４のシャッター機構を開き、操作者が紙幣を投入口１４に投入する。そして、シャッター機構を閉じると、投入口１４に投入された紙幣は紙幣繰出機構１４ａにより１枚ずつ搬送部１６に繰り出される。紙幣繰出機構１４ａにより搬送部１６に繰り出された紙幣は当該搬送部１６により搬送され、識別部１８によりその金種や正損、真偽等の識別が行われる。識別部１８により正常な紙幣であると識別された紙幣は、分岐部材２６により入金一時保留部３２に搬送される。入金一時保留部３２において、搬送部１６から送られた紙幣が積層状態で一時的に保留される。
【００４１】
一方、識別部１８により正常な紙幣であると識別された紙幣以外の紙幣は、すなわち、識別部１８により偽券であると識別された紙幣や、識別部１８により識別することができなかった紙幣、あるいは斜行や重送等の搬送異常が検出された紙幣は、リジェクト紙幣として搬送部１６により入金リジェクト口２０に送られ、この入金リジェクト口２０に集積される。そして、紙幣の入金処理が終了した後に、この入金リジェクト口２０に設けられたシャッター機構が開くことによって、入金リジェクト口２０に集積されたリジェクト紙幣は操作者により取り出されることとなる。
【００４２】
上述のような動作は、投入口１４に投入された紙幣が全て筐体１２の内部に繰り出されるまで行われる。そして、投入口１４に投入された紙幣が全て筐体１２の内部に繰り出されると、表示部５４にこのことが表示される。そして、操作者が操作部５２により「入金確定」の指令を制御部５０に対して行うと、入金一時保留部３２から紙幣が１枚ずつ紙幣繰出機構３０ａにより繰り出され、この繰り出された紙幣はその金種に基づいて各金種別収納部３４ａ〜３４ｃに搬送され、これらの金種別収納部３４ａ〜３４ｃに収納される。一方、入金一時保留部３２から繰り出された紙幣について、その金種が、金種別収納部３４ａ〜３４ｃにおける金種と一致しない場合や、対応する金種の金種別収納部３４ａ〜３４ｃがフル状態である場合には、この紙幣は金種混合収納部３６に搬送され、この金種混合収納部３６に金種混合状態で収納される。このようにして、紙幣の入金処理が終了する。
【００４３】
また、操作者が操作部５２により「入金確定」の指令の代わりに「返却」の指令を制御部５０に対して行うと、入金一時保留部３２から紙幣が１枚ずつ紙幣繰出機構３０ａにより繰り出され、この繰り出された紙幣は投入口１４に戻される。そして、入金一時保留部３２から投入口１４に全ての紙幣が搬送された後に、この投入口１４に設けられたシャッター機構が開くことによって、投入口１４に戻された紙幣は操作者により取り出されることとなる。
【００４４】
次に、紙幣処理装置１０における紙幣の出金処理について説明する。
【００４５】
操作者が操作部５２により制御部５０に対して紙幣の出金処理の指令を与えると、収納部３０の各金種別収納部３４ａ〜３４ｃや金種混合収納部３６から紙幣が１枚ずつ紙幣繰出機構３０ａにより搬送部１６に繰り出され、繰り出された紙幣は識別部１８により識別される。ここで、識別部１８により識別された紙幣が正常な紙幣である場合には、この紙幣は搬送部１６により投入口１４に搬送され、投入口１４に集積される。前述のように、投入口１４は、筐体１２の内部から外部に紙幣を投出するための投出口としても機能するようになっている。一方、識別部１８により識別された紙幣が、正常な紙幣以外の紙幣である場合には、この紙幣は搬送部１６により出金リジェクト部２２に搬送される。そして、各金種別収納部３４ａ〜３４ｃや金種混合収納部３６から、全ての紙幣または所定の合計金額の紙幣が繰り出されると、投入口１４に設けられたシャッター機構が開くことによって、投入口１４に集積された紙幣は操作者により出金紙幣として取り出される。このようにして、紙幣の出金処理が終了する。
【００４６】
次に、紙幣処理装置１０における紙幣の精査処理について図３および図５乃至図１０を用いて説明する。ここで、紙幣の精査処理とは、紙幣処理装置１０内にある紙幣を計数するための処理のことをいう。図３は、図１および図２に示す紙幣処理装置１０における、紙幣の精査処理を行う際の動作を示すフローチャートであり、図５乃至図１０は、図３に示す紙幣の出金処理を行う際の紙幣の流れを示す説明図である。
【００４７】
本実施の形態の紙幣処理装置１０における紙幣の精査処理について簡単に説明すると、各金種別収納部３４ａ〜３４ｃや金種混合収納部３６から紙幣を１枚ずつ搬送部１６に繰り出し、繰り出された紙幣を空状態の他の収納部である入金一時保留部３２に１枚ずつ収納する。そして、各金種別収納部３４ａ〜３４ｃや金種混合収納部３６に収納された紙幣が全て入金一時保留部３２に送られたときに、入金一時保留部３２から各金種別収納部３４ａ〜３４ｃや金種混合収納部３６に紙幣を全て戻し、この際に識別部１８により紙幣の識別を行う。そして、本実施の形態の紙幣処理装置１０における紙幣の精査処理では、上述のような精査処理を行う間に入金一時保留部３２がフル状態となったときに、残りの紙幣を、空状態の更に他の収納部として機能する投入口１４に送り、各金種別収納部３４ａ〜３４ｃや金種混合収納部３６に収納された紙幣が全て入金一時保留部３２または投入口１４に送られたときに、入金一時保留部３２および投入口１４から各金種別収納部３４ａ〜３４ｃや金種混合収納部３６に紙幣を戻すようになっている。このような紙幣の精査処理において、投入口１４はシャッター機構により閉じられている。このため、投入口１４は、搬送部１６から送られた紙幣を収納するとともに収納された紙幣を１枚ずつ搬送部１６に繰り出すような収納部として機能することとなる。
【００４８】
このような紙幣処理装置１０における紙幣の精査処理について、図３、および図５乃至図１０を用いて以下に詳述する。
【００４９】
操作者が操作部５２により制御部５０に対して紙幣の精査処理の指令を与えると、各金種別収納部３４ａ〜３４ｃや金種混合収納部３６から紙幣が１枚ずつ紙幣繰出機構３０ａにより搬送部１６に繰り出される（図３のＳＴＥＰ１）。ここで、制御部５０において、入金一時保留部３２がフル状態となっているか否かの判断が行われる（図３のＳＴＥＰ２）。入金一時保留部３２がフル状態となっていない場合には（図３のＳＴＥＰ２の「ＮＯ」）、各金種別収納部３４ａ〜３４ｃや金種混合収納部３６から搬送部１６に繰り出された紙幣を入金一時保留部３２に搬送する（図３のＳＴＥＰ３および図５の太線）。一方、入金一時保留部３２がフル状態となっている場合には（図３のＳＴＥＰ２の「ＹＥＳ」）、各金種別収納部３４ａ〜３４ｃや金種混合収納部３６から搬送部１６に繰り出された紙幣を投入口１４に搬送する（図３のＳＴＥＰ４および図６の太線の実線）。なお、この際に、投入口１４に紙幣が送られる前にこの紙幣は識別部１８により識別され、正常な紙幣であると識別された紙幣のみ投入口１４に搬送される。ここで、投入口１４に送られる前に識別部１８により識別された紙幣が正常な紙幣以外の紙幣である場合には、具体的には、例えば斜行や重送等の搬送異常が検出された紙幣である場合には、この紙幣は搬送部１６により出金リジェクト部２２に搬送される（図６の太線の点線）。
【００５０】
図３のＳＴＥＰ１〜ＳＴＥＰ４に示すような動作は、各金種別収納部３４ａ〜３４ｃや金種混合収納部３６の、精査対象となる収納部から全ての紙幣が繰り出されるまで行われる（図３のＳＴＥＰ５の「ＮＯ」）。
【００５１】
各金種別収納部３４ａ〜３４ｃや金種混合収納部３６から全ての紙幣が繰り出されると（図３のＳＴＥＰ５の「ＹＥＳ」）、入金一時保留部３２から紙幣が１枚ずつ紙幣繰出機構３０ａにより搬送部１６に繰り出され、この繰り出された紙幣は識別部１８により識別される（図３のＳＴＥＰ６）。そして、識別部１８により識別された紙幣が、正常な紙幣以外の紙幣である場合には、具体的には、例えば斜行や重送等の搬送異常が検出された紙幣である場合には（図３のＳＴＥＰ７の「ＮＯ」）、この紙幣は搬送部１６により出金リジェクト部２２に搬送される（図３のＳＴＥＰ８および図７の太線の点線）。また、識別部１８により識別された紙幣が正常な紙幣である場合には（図３のＳＴＥＰ７の「ＹＥＳ」）、制御部５０において、元の各金種別収納部３４ａ〜３４ｃがフル状態となっているか否かの判断が行われる（図３のＳＴＥＰ９）。元の各金種別収納部３４ａ〜３４ｃがフル状態となっていない場合には（図３のＳＴＥＰ９の「ＮＯ」）、識別部１８により識別された紙幣を元の各金種別収納部３４ａ〜３４ｃまたは金種混合収納部３６に搬送する（図３のＳＴＥＰ１０）および図７の太線の実線）。一方、元の各金種別収納部３４ａ〜３４ｃがフル状態となっている場合には、具体的には、例えば入金一時保留部３２に対応する金種の紙幣についてこの金種別収納部３４ｂがフル状態となっている場合には（図３のＳＴＥＰ９の「ＹＥＳ」）、識別部１８により識別された紙幣を投入口１４に搬送する（図３のＳＴＥＰ１１および図８の太線）。図３のＳＴＥＰ６〜ＳＴＥＰ１１に示すような動作は、入金一時保留部３２から全ての紙幣が繰り出されるまで行われる（図３のＳＴＥＰ１２の「ＮＯ」）。
【００５２】
入金一時保留部３２から全ての紙幣が繰り出されると（図３のＳＴＥＰ１２の「ＹＥＳ」）、投入口１４に紙幣が搬送されていない場合には（図３のＳＴＥＰ１３の「ＮＯ」）、紙幣の精査処理が終了する。一方、投入口１４に紙幣が搬送されている場合には（図３のＳＴＥＰ１３の「ＹＥＳ」）、この投入口１４に搬送された紙幣が、入金一時保留部３２がフル状態であるため投入口１４に搬送されたものである場合は（図３のＳＴＥＰ４）、この紙幣は搬送部１６により元の各金種別収納部３４ａ〜３４ｃまたは金種混合収納部３６に搬送される（図３のＳＴＥＰ１４および図９の太線）。一方、投入口１４に搬送された紙幣が、元の各金種別収納部３４ａ〜３４ｃがフル状態であるため投入口１４に搬送されたものである場合は（図３のＳＴＥＰ１１）、この紙幣は搬送部１６により金種混合収納部３６に搬送される（図３のＳＴＥＰ１４および図１０の太線）。そして、投入口１４から紙幣が全て各金種別収納部３４ａ〜３４ｃまたは金種混合収納部３６に搬送されると、紙幣の精査処理が終了する。
【００５３】
なお、各金種別収納部３４ａ〜３４ｃや金種混合収納部３６から全ての紙幣が繰り出された後、入金一時保留部３２がフル状態であるため投入口１４に紙幣が搬送された場合において、まず投入口１４から元の各金種別収納部３４ａ〜３４ｃや金種混合収納部３６に紙幣を搬送し、その後に入金一時保留部３２から元の各金種別収納部３４ａ〜３４ｃや金種混合収納部３６に紙幣を搬送してもよい。
【００５４】
また、入金一時保留部３２から元の金種別収納部３４ａ〜３４ｃや金種混合収納部３６に紙幣を搬送する際に、元の各金種別収納部３４ａ〜３４ｃがフル状態となっている場合において（図３のＳＴＥＰ９の「ＹＥＳ」）、紙幣を投入口１４に搬送する代わりに金種混合収納部３６に直接搬送してもよい。
【００５５】
以上のように本実施の形態の紙幣処理装置１０によれば、紙幣の精査処理を行う際に、制御部５０は、入金一時保留部３２がフル状態となったときに、残りの紙幣を、空状態の更に他の収納部として機能する投入口１４に送り、各金種別収納部３４ａ〜３４ｃや金種混合収納部３６に収納された紙幣が全て入金一時保留部３２または投入口１４に送られたときに、入金一時保留部３２および投入口１４から各金種別収納部３４ａ〜３４ｃや金種混合収納部３６に紙幣を戻すようになっている。このため、紙幣の精査処理を行うにあたり、精査処理が行われるべき紙幣が収納されている元の収納部、具体的には各金種別収納部３４ａ〜３４ｃや金種混合収納部３６にフル状態またはそれに近い状態で紙幣が収納されている場合において、各金種別収納部３４ａ〜３４ｃや金種混合収納部３６から入金一時保留部３２に紙幣が送られたときに入金一時保留部３２において集積された紙幣が膨張してしまい、各金種別収納部３４ａ〜３４ｃや金種混合収納部３６から紙幣を全て繰り出す前に入金一時保留部３２がフル状態となってしまったときでも、残りの紙幣を、空状態の更に他の収納部として機能する投入口１４に収納させることにより、紙幣の精査処理が中断することなく確実に行われる。また、上述のような紙幣処理装置１０では、精査用の収納部を別途設ける必要がないので紙幣処理装置１０が大型化してしまうことを防止することができる。
【００５６】
また、本実施の形態の紙幣処理装置１０においては、紙幣の精査処理を行う際に、各金種別収納部３４ａ〜３４ｃや金種混合収納部３６に紙幣を戻す際に各金種別収納部３４ａ〜３４ｃがフル状態となったときに、残りの紙幣を投入口１４に送るようになっている。そして、その後、投入口１４から金種混合収納部３６に紙幣を送るようになっている。このような動作によれば、紙幣の精査処理を行うにあたり、各金種別収納部３４ａ〜３４ｃに紙幣を戻す際にこれらの収納部で集積された紙幣が膨張してしまい、入金一時保留部３２から紙幣を全て繰り出す前に各金種別収納部３４ａ〜３４ｃがフル状態となってしまったときでも、残りの紙幣を、更に他の収納部として機能する投入口１４に収納させることにより、紙幣の精査処理が中断することなく確実に行われる。
【００５７】
このように、精査時に入金一時保留部３２や各金種別収納部３４ａ〜３４ｃがフル状態の時に、その後の紙幣を投入口１４に送るようにしているので、他の処理に必要な部分を利用して効率良く精査を行うことができる。
【００５８】
なお、本実施の形態による紙幣処理装置は、上記の態様に限定されるものではなく、様々の変更を加えることができる。例えば、図３に示すようなフローチャートによる動作では、紙幣の精査処理を行う際に、各金種別収納部３４ａ〜３４ｃや金種混合収納部３６から紙幣を１枚ずつ搬送部１６に繰り出し、繰り出された紙幣を入金一時保留部３２に１枚ずつ収納し、各金種別収納部３４ａ〜３４ｃや金種混合収納部３６に収納された紙幣が全て入金一時保留部３２に送られたときに、入金一時保留部３２から各金種別収納部３４ａ〜３４ｃや金種混合収納部３６に紙幣を戻し、この際に識別部１８により紙幣の識別を行うようになっているが、紙幣の精査処理はこのような動作に限定されることはない。紙幣の他の精査処理として、各金種別収納部３４ａ〜３４ｃや金種混合収納部３６から紙幣を１枚ずつ搬送部１６に繰り出し、繰り出された紙幣を識別部１８により識別し、識別された紙幣を入金一時保留部３２に１枚ずつ収納し、各金種別収納部３４ａ〜３４ｃや金種混合収納部３６に収納された紙幣が全て入金一時保留部３２に送られたときに、入金一時保留部３２から各金種別収納部３４ａ〜３４ｃや金種混合収納部３６に紙幣を戻すようにしてもよい。このような紙幣の精査処理でも、紙幣処理装置１０内にある紙幣を計数することができる。
【００５９】
また、他の変形例としては、入金リジェクト口２０に、当該入金リジェクト口２０に集積された紙幣を１枚ずつ搬送部１６に繰り出す紙幣繰出機構が設けられていてもよい。入金リジェクト口２０に設けられる紙幣繰出機構は、投入口１４に設けられている紙幣繰出機構１４ａと同様の構成のものである。このような入金リジェクト口２０は、当該入金リジェクト口２０に設けられたシャッター機構が閉じたときに、搬送部１６から送られた紙幣を収納するとともに収納された紙幣を１枚ずつ搬送部１６に繰り出すような収納部としても機能するようになる。そして、この場合、紙幣の精査処理を行う間に入金一時保留部３２がフル状態となったときに、残りの紙幣を投入口１４ではなく入金リジェクト口２０に送るようにしてもよい。そして、各金種別収納部３４ａ〜３４ｃや金種混合収納部３６に収納された紙幣が全て入金一時保留部３２または入金リジェクト口２０に送られたときに、入金一時保留部３２および入金リジェクト口２０から各金種別収納部３４ａ〜３４ｃや金種混合収納部３６に紙幣を戻すようにしてもよい。
【００６０】
この場合においても、前述の実施の形態の投入口１４を利用する場合と同様に、他の処理で必要な部分を利用して効率良く精査を行うことができる。また、入金リジェクト口２０にはシャッター機構が設けられているため、精査時に人が紙幣に触れることがないので厳正な精査を行うことができる。
【００６１】
また、紙幣の精査処理の更に他の例として、図４のフローチャートに示すような動作を行ってもよい。図４は、図１および図２に示す紙幣処理装置における、紙幣の精査処理を行う際の他の動作を示すフローチャートである。この変形例に係る紙幣の精査処理においては、制御部５０において予め紙幣の所定枚数が設定されており、紙幣の精査処理が行われる前において各金種別収納部３４ａ〜３４ｃや金種混合収納部３６に収納されている紙幣の枚数が所定枚数以上である場合には、精査処理を行う際に、予め設定された枚数（例えば、各金種別収納部３４ａ〜３４ｃや金種混合収納部３６の収容枚数の２０％の枚数）の紙幣を投入口１４に送るようになっている。
【００６２】
より具体的に説明すると、操作者が操作部５２により制御部５０に対して紙幣の精査処理の指令を与えると、まず、制御部５０において、各金種別収納部３４ａ〜３４ｃや金種混合収納部３６に収納されている紙幣の枚数と制御部５０において予め設定されている所定枚数との比較が行われる（図４のＳＴＥＰ１）。ここで、制御部５０において予め設定されている所定枚数は、例えば各金種別収納部３４ａ〜３４ｃや金種混合収納部３６の収容枚数の例えば９０％の枚数に設定されている。そして、各金種別収納部３４ａ〜３４ｃや金種混合収納部３６に収納されている紙幣の枚数が所定枚数以上である場合には（図４のＳＴＥＰ１の「ＹＥＳ」）、まず、各金種別収納部３４ａ〜３４ｃや金種混合収納部３６から投入口１４に予め設定された枚数の紙幣を搬送する。ここで、予め設定された枚数は、例えば、各金種別収納部３４ａ〜３４ｃや金種混合収納部３６の収容枚数の２０％の枚数である。なお、予め設定された枚数は、このような例に限られることはなく、例えば、各金種別収納部３４ａ〜３４ｃや金種混合収納部３６に実際に収納されている紙幣の枚数に基づいて（例えば、実際に収容されている枚数の２０％の枚数とするよう）設定されるようになっていてもよい。そして、残りの紙幣を各金種別収納部３４ａ〜３４ｃや金種混合収納部３６から入金一時保留部３２に搬送する（図４のＳＴＥＰ２）。その後、各金種別収納部３４ａ〜３４ｃや金種混合収納部３６に収納された紙幣が全て入金一時保留部３２または投入口１４に送られると、入金一時保留部３２および投入口１４から各金種別収納部３４ａ〜３４ｃや金種混合収納部３６に紙幣を戻す（図４のＳＴＥＰ３）。そして、各金種別収納部３４ａ〜３４ｃや金種混合収納部３６から入金一時保留部３２や投入口１４に紙幣を搬送する際に、あるいは入金一時保留部３２や投入口１４から各金種別収納部３４ａ〜３４ｃや金種混合収納部３６に紙幣を戻す際に、識別部１８により紙幣の識別を行う。このようにして、紙幣の精査処理が終了する。
【００６３】
また、各金種別収納部３４ａ〜３４ｃや金種混合収納部３６に収納されている紙幣の枚数が所定枚数よりも少ない場合には（図４のＳＴＥＰ１の「ＮＯ」）、各金種別収納部３４ａ〜３４ｃや金種混合収納部３６から入金一時保留部３２に紙幣を搬送する。この際に、入金一時保留部３２がもしフル状態となったならば、残りの紙幣を投入口１４に搬送する（図４のＳＴＥＰ４）。その後、各金種別収納部３４ａ〜３４ｃや金種混合収納部３６に収納された紙幣が全て入金一時保留部３２（または投入口１４）に送られると、入金一時保留部３２（および必要であれば投入口１４）から各金種別収納部３４ａ〜３４ｃや金種混合収納部３６に紙幣を戻す（図４のＳＴＥＰ５）。そして、各金種別収納部３４ａ〜３４ｃや金種混合収納部３６から入金一時保留部３２や投入口１４に紙幣を搬送する際に、あるいは入金一時保留部３２や投入口１４から各金種別収納部３４ａ〜３４ｃや金種混合収納部３６に紙幣を戻す際に、識別部１８により紙幣の識別を行う。このようにして、紙幣の精査処理が終了する。
【００６４】
図４のフローチャートに示すような変形例によれば、紙幣の精査処理を行う際に、各金種別収納部３４ａ〜３４ｃや金種混合収納部３６に収納されている紙幣の枚数が所定枚数以上である場合には、投入口１４に予め設定された枚数の紙幣を送ることにより、入金一時保留部３２がフル状態となることを抑制することができる。
【符号の説明】
【００６５】
１０  紙幣処理装置
１２  筐体
１４  投入口
１４ａ  紙幣繰出機構
１６  搬送部
１８  識別部
２０  入金リジェクト口
２２  出金リジェクト部
２６  分岐部材
３０  収納部
３０ａ  紙幣繰出機構
３２  入金一時保留部
３４ａ〜３４ｃ  金種別収納部
３６  金種混合収納部
５０  制御部
５２  操作部
５４  表示部
５６  インターフェース
【図１】
0005606711.tif 000002
【図２】
0005606711.tif 000003
【図３】
0005606711.tif 000004
【図４】
0005606711.tif 000005
【図５】
0005606711.tif 000006
【図６】
0005606711.tif 000007
【図７】
0005606711.tif 000008
【図８】
0005606711.tif 000009
【図９】
0005606711.tif 000010
【図１０】
0005606711.tif 000011